(57)【要約】先行技術による、内側管を備えた、流れ媒体の少なくとも１つのパラメータを検出するための装置は、渦流を形成し、ひいては測定エレメントにおける信号ノイズが増大され、圧力が減じられるという欠点を有している。本発明による装置（１）は、流れ媒体の渦流形成を減じるエレメント（１１）を有している。
2004505234.tif 000002
【特許請求の範囲】
【請求項１】
導管（５）、特に内燃機関の吸気管内を流れる媒体の少なくとも１つのパラメータ、特に体積流を検出するための装置であって、導管（５）内に少なくとも部分的に内側管（１７）が配置されていて、該内側管（１７）に少なくとも１つの差込センサ（３）が設けられていて、該差込センサ（３）が、流れ媒体のパラメータの少なくとも１つを検出するための少なくとも１つの測定エレメント（３３）を有している形式のものにおいて、
内側管（１７）の流入開口（２１）の領域に、流れ媒体の渦流形成を減じるエレメント（１１）が配置されていることを特徴とする、流れ媒体の少なくとも１つのパラメータを検出するための装置。
【請求項２】
内側管（１７）が、少なくとも部分的に把持リング（１３）によって導管（５）に保持されていて、把持リング（１３）の内側の流入縁部（２７）が、内側管（１７）の外側の流入縁部（２５）とほぼ同じ軸方向の長さ上に位置しており、これにより流れ媒体の渦流形成を減じるエレメント（１１）が形成されている、請求項１記載の装置。
【請求項３】
内側管（１７）が流入開口（２１）を有しており、導管（５）が、この流入開口（２１）とほぼ同じ軸方向の長さ上に整流装置（９）を有している、請求項１または２記載の装置。
【請求項４】
把持リング（１３）が整流装置（９）に結合されている、請求項３記載の装置。
【請求項５】
内側管（１７）が流入開口（２１）を有しており、内側管（１７）が流入開口（２１）の領域に逸らせ格子（１９）を有している、請求項１から３までのいずれか１項記載の装置。
【発明の詳細な説明】
【０００１】
本発明は、請求項１の上位概念に記載の形式の、導管内を流れる媒体の少なくとも１つのパラメータを検出するための装置に関する。
【０００２】
ドイツ連邦共和国特許出願公開第１９７３５６６４号明細書により公知の装置では、測定エレメントを備えた差込センサが、媒体が貫流する管体の内側に配置されている。この場合、管体の上流側の端部はフィルタ室まで延びている。しかしながら内側管の流入縁部の領域では渦流が形成され、この渦流は測定エレメントにおける信号ノイズを増大させる。
【０００３】
ドイツ連邦共和国特許出願公開第１９６５２７５３号明細書により測定エレメントを備えた装置が公知である。この測定エレメントは、流れを整流するための整流装置と、測定信号を安定化するための格子とを有している。しかしながらこの場合も、汚粒子または水滴による負荷から測定エレメントを保護する内側管は使用されていない。
【０００４】
発明の効果
これに対して、請求項１の特徴を備えた本発明による装置は、圧力の減少および信号ノイズを簡単に減じることができるという利点を有している。
【０００５】
従属請求項に記載の手段により、請求項１に記載の装置の有利な別の構成および改良形が得られる。
【０００６】
把持リングの流入縁部を、内側管の外側の流入縁部とほぼ同じ軸方向の長さ上に配置することは、把持リングが軸方向で延長されればよいだけなので有利である。
【０００７】
実施例の説明
図１には、本発明により形成された装置１の正面図が示されている。この装置１はとりわけ１つの導管５から成っている。この導管には差込センサ３を例えば差し込むことができる。導管５には媒体が流れ方向７で、即ち図平面に対して垂直方向に流れる。差込センサ３の上流には例えば導管５に保持された整流装置９が配置されている。整流装置９には例えば把持リング１３が、例えば短い管エレメントが結合されている。この把持リングは、内側管１７に把持するために働く。把持リング１３は少なくとも１つのステー１５を有している。このステー１５は把持リング１３を内側管１７または逸らせ格子１９に結合させる。これにより内側管１７は整流装置９または導管５に堅固に保持されている。内側管１７は流入開口２１の領域に例えば逸らせ格子１９を有している。この逸らせ格子１９は、例えば液体粒子または固体粒子のような異粒子による、下流に配置された測定エレメント３３（図２）への負荷を軽減するために働く。このような形式の測定エレメント３３の構成は、例えばドイツ連邦共和国特許出願公開第１９５２４６３４号明細書により当業者には十分に公知である。この明細書の開示内容は、本発明の構成部分である。
【０００８】
図２には、図１の装置の軸方向断面図が示されている。内側管１７は中心軸線１８を有している。図２の上方部分（中心軸線１８と差込センサ３との間の内側管１７の部分）はエレメント１１を有さない先行技術を示しており、下方部分はエレメント１１を備えた本発明による実施例を示している。内側管１７は端面２３の周面に外側の流入縁部２５を有していて、この流入縁部２５の周りを媒体が流れる。把持リング１３は内側の流入縁部２７を有している。整流装置９はこの実施例では流れ方向７で見て流入開口２１の後方に配置されている。これにより先行技術の流入縁部２５の領域では、図２に流れ線３１で示したように渦流２９が形成される。これは測定エレメント３３における信号ノイズを高め、導管５および内側管１７における大きな減圧を引き起こす。
【０００９】
エレメント１１は、内側管１７の外側の流入縁部２５の近傍で、例えば内側管１７上に配置されていて、流れ媒体の渦流形成を減じる。これは例えば、内側管１７上に流れ線状の付加的な突出部を取り付けることにより行われる。これにより流れる媒体は加速される。把持リング１３の流入縁部２７が、内側管１７の外側の流入縁部２５とほぼ同じ軸方向高さに位置している場合には、このような渦流はもはや発生しない。何故ならば、流入開口２１とほぼ同じ軸方向の高さでは、導管５における流れのための貫流面積が減少し、流れ媒体が加速され、これにより渦流の形成または生じる渦流の数が減少するからである。流れ特性に応じて、反対方向の渦流が生じることもある。この対向渦流は、先行技術では妨害的な別の渦流を相殺する。把持リング１３のこのような構成により、渦流形成を減じるためのエレメント１１が形成される。従って、内側管１７内の、または内側管１７の周りの流れは安定し、測定エレメント３３における信号ノイズおよび減圧は減少する。差込センサ３の内側には測定エレメント３３が配置されている。この測定エレメント３３は貫流媒体の少なくとも１つのパラメータを算出する。流れ媒体のパラメータとは例えば、空気質量を算出するための空気体積流、温度、圧力、媒体構成成分の濃度、流れ速度などであって、これらは適当なセンサによって検出される。別のパラメータを検出するために装置１を使用することもできる。これは２つまたはそれ以上のセンサを使用することにより可能である。この場合、センサは２つまたはそれ以上のパラメータを算出することもできる。
【図面の簡単な説明】
【図１】
本発明により形成された装置の実施例を示す図である。
【図２】
図１を軸方向で断面した図である。
【国際公開パンフレット】
2004505234.tif 000003
2004505234.tif 000004
2004505234.tif 000005
2004505234.tif 000006
2004505234.tif 000007
2004505234.tif 000008
2004505234.tif 000009
2004505234.tif 000010
2004505234.tif 000011
2004505234.tif 000012
【国際調査報告】
2004505234.tif 000013
2004505234.tif 000014
2004505234.tif 000015
2004505234.tif 000016